(57)【要約】【課題】ＡＶ同期処理機能を含まないデコーダ素子を用いた光ディスク再生装置において、音声信号が映像信号に先行した場合に、映像情報の再生処理中にＡＶ同期処理をソフトウエアで達成する。【解決手段】デコーダにより復号された映像信号及び音声信号のそれぞれの時刻情報を比較し、映像信号に対して音声信号が１００ｍｓ以上先行している場合（＃２でＹＥＳ）、ＡＶ同期モードをオンし（＃３）、次復号処理する画像がＶＯＢＵの先頭の画像か否かを判断する（＃４）。先頭画像の場合、その再生時間を短くして同期ずれを修正し（＃５）、先頭画像でない場合は通常の再生処理を行う（＃６）。映像信号に対する音声信号の進みが３０ｍｓ以下になると（＃７でＹＥＳ）、ＡＶ同期モードをオフする（＃８）。【選択図】　図４
2004104300.tif 000002
【特許請求の範囲】
【請求項１】
光ディスクから映像情報を読み出すための映像情報読み出し手段と、前記映像情報読み出し手段により読み出された映像情報を映像信号と音声信号に分離するための分離手段と、前記分離手段により分離された映像信号に対してＭＰＥＧ２規格に準拠して復号処理を施すための映像信号復号手段と、前記分離手段により分離された音声信号に対してＭＰ３規格に準拠して復号処理を施すための音声信号復号手段とを具備し、前記映像信号と前記音声信号の同期処理機能を含まないデコーダ素子を用いた光ディスク再生装置であって、
現在再生中の復号処理された映像信号及び復号処理された音声信号から、それぞれ映像と音声の現在の時刻に関する情報を取得する時刻情報取得手段と、
前記時刻情報取得手段により取得された映像と音声の現在の時刻に関する情報を比較し、映像信号と音声信号とが同期しているか否か、及び映像信号と音声信号とが同期していない場合に、映像信号と音声信号のいずれが先行しているか及びそのずれ時間を判断する同期ずれ判別手段と、
前記同期ずれ判別手段により、音声信号が映像信号よりも１００ｍｓ以上先行していると判断された場合に、現在再生中の復号処理された映像信号のうち、複数画像数の映像信号で１纏まりを構成するＶＯＢＵ（ｖｉｄｅｏ　ｏｂｊｅｃｔ　ｕｎｉｔ）に含まれる先頭の画像の再生時間を短くして、映像信号に対する音声信号の同期ずれを修正し、音声信号に対して映像信号が先行した場合又は映像信号に対する音声信号の進みが３０ｍｓ以下になった場合に、映像信号に対する音声信号の同期ずれの修正を停止する同期ずれ修正手段と
をさらに具備することを特徴とする光ディスク再生装置。
【請求項２】
光ディスクから映像情報を読み出すための映像情報読み出し手段と、前記映像情報読み出し手段により読み出された映像情報を映像信号と音声信号に分離するための分離手段と、前記分離手段により分離された映像信号に対して所定の復号処理を施すための映像信号復号手段と、前記分離手段により分離された音声信号に対して所定の復号処理を施すための音声信号復号手段とを具備し、前記映像信号と前記音声信号の同期処理機能を含まないデコーダ素子を用いた光ディスク再生装置であって、
現在再生中の復号処理された映像信号及び復号処理された音声信号から、それぞれ映像と音声の現在の時刻に関する情報を取得し、取得し映像と音声の現在の時刻に関する情報を比較して、音声信号が映像信号よりも所定時間以上先行していると判断された場合に、現在再生中の復号処理された映像信号に含まれる所定の画像の再生時間を短くして、音声信号の映像信号に対する同期ずれを修正することを特徴とする光ディスク再生装置。
【請求項３】
前記所定の映像とは、現在再生中の復号処理された映像信号のうち、複数画像分の映像信号の１纏まりを構成するＶＯＢＵ（ｖｉｄｅｏ　ｏｂｊｅｃｔ　ｕｎｉｔ）に含まれる先頭の画像であることを特徴とする請求項２記載の光ディスク再生装置。
【請求項４】
前記所定時間は１００ｍｓ以上であることを特徴とする請求項２記載又は請求項３記載の光ディスク再生装置。
【発明の詳細な説明】
【０００１】
【発明の属する技術分野】
本発明は、ＤＶＤ（ｄｉｇｉｔａｌ　ｖｅｒｓａｔｉｌｅ　ｄｉｓｃ）などの光ディスク記録媒体に記録されている映像情報を読み出して再生する光ディスク再生装置に関する。
【０００２】
【従来の技術】
従来より、ビデオカメラで撮影した動画やテレビチューナにより受信したテレビ番組などの映像情報をＤＶＤなどの光ディスクに記録する場合、ＭＰＥＧ規格に準拠して映像情報を圧縮（エンコード）することが行われている。また、光ディスクに記録されている映像情報を再生する場合、光ディスクから読み出した圧縮された映像情報をＭＰＥＧ規格に準拠して復号（デコード）される。
【０００３】
光ディスクから映像情報を読み出す際、映像信号（ビデオ信号）はＭＰＥＧ２規格に準拠して復号され、また音声信号（オーディオ信号）がＭＰ３規格に準拠して復号される。これら映像信号と音声信号は、それぞれ別の復号回路または素子によって復号処理されるので、映像情報をモニタ装置の画面上に再生するには、所定のＡＶ同期信号に基づいて映像信号と音声信号を同期（ＡＶ同期処理）させつつ出力しなければならない。
【０００４】
例えば特許文献１に示された従来例の構成を図５に示す。この従来例は、本来フレームレートを変換する装置に関するものであり、例えば２５フレーム／秒のフレームレートで記録されているビデオ符号を３０フレーム／秒のフレームレートで表示する場合、５ピクチャ分のビデオ符号データごとに１ピクチャ分リピートすることにより６ピクチャを表示し、逆に２５フレーム／秒のフレームレートで記録されているビデオ符号を３０フレーム／秒のフレームレートで表示する場合、５ピクチャ分の表示期間ごとに１ピクチャ分のビデオ符号データをデコードせずに廃棄（スキップ）するものである。
【０００５】
図５に示す従来の装置は、映像信号と音声信号の同期をとるためのＡＶ同期チェック機能を有するＡＶ同期制御部１０１と、デコードタイミング信号ＴＤの供給に応答してピクチャのリピート要求信号ＲＰ又はピクチャのスキップ要求信号ＲＳを出力するフレームレート変換制御部１０２と、ビデオ同期信号ＳＹの供給に応答して表示タイミング信号ＴＨ及びデコードタイミング信号ＴＤを発生するビデオタイミング生成部１０３と、デコードタイミング信号ＴＤの供給に応答してデコード開始信号ＤＳを出力するデコード制御部１０４と、入力されたビデオ符号データＤＶを一時的に格納すると共にピクチャデコード部１０６に順次供給するビデオ符号バッファ１０５と、デコード開始信号ＤＳの供給に応答して１ピクチャ分のビデオ符号データＤＶをデコードし、スキップ要求信号の供給に応答して１ピクチャ分のビデオ符号データＤＶをデコードせずに読み飛ばすピクチャデコード部１０６を具備する。
【０００６】
フレームレート変換制御部１０２は、システムクロックＳＣの供給に応答して、フレーム変換を行わない場合の本来のデコードタイミングを示す同期チェックタイミング信号ＴＣを生成するチェック信号発生回路１０８を含む。また、ＡＶ同期制御部１０１は、同期チェックタイミング信号ＴＣの供給に応答して、ＡＶ同期のチェックを行うチェック回路１０７を含む。このような構成により、フレームレートの変換中か否かにかかわらず、ＡＶ同期処理を行うことができる。
【０００７】
一方、特許文献２には、映像信号と音声信号のフレーム長さが異なる場合に、映像信号のフレームの区切りで編集し、編集点と、編集点に対して先行する音声信号の編集点に最も近いフレームの区切りとの間を無音区間として、符号化された音声信号を連結して映像信号と音声信号を同期させる技術が示されている。
【０００８】
また、特許文献３には、映像データの表示時間とこの表示時間に対応する再生音声データ量を求め、再生音声データ量に対応する１回分の映像データを表示する技術が示されている。
【０００９】
【特許文献１】
特開平８−３２２０４３号公報（図１）
【特許文献２】
特開２０００−１６５８６２号公報
【特許文献３】
特開２００１−１６９２４９号公報
【００１０】
【発明が解決しようとする課題】
ところで、従来の光ディスク再生装置においては、上記ＡＶ同期制御部１０１、チェック回路１０７及びチェック信号発生回路１０８などのＡＶ同期処理機能は、ハードウエアによって達成されており、デコーダ機能を有する素子（チップ）にＡＶ同期処理機能が組み込まれていた。
【００１１】
近年、ＣＰＵの動作速度の高速化に伴い、従来ハードウエアで処理されていた機能をソフトウエアで達成することにより、ハードウエアの簡略化や低コスト化の実現を図ろうとする傾向にある。これを受けて、光ディスク再生装置の低コスト化の要請から、ＡＶ同期処理機能を含まないデコーダ素子が実用化されつつある。
【００１２】
音声信号が映像信号に対応して同じ時間だけ記録されていれば、ＡＶ同期処理機能を含まないデコーダ素子を用いて、ＡＶ同期チェックを行わずに映像情報を再生しても特に画像と音声がずれることはない。ところが、映像信号に対応して音声信号が記録されていない場合、音声信号が記録されていない部分（オーディオギャップ）について音声信号が先行してしまう現象が生じる。一般的に、人間の聴覚特性の方が視覚特性よりも敏感であるため、音声信号が映像信号よりも若干先行していても、さほど違和感なく映像を楽しむことができる。ところが、音声信号の映像信号に対する進みが１００ｍｓ程度に達すると、明らかに映像と音声が一致していないこと（いわゆる「口パク」状態）が認識され、違和感が生じる。
【００１３】
本発明は、このような問題点を解決するためになされたものであり、ＡＶ同期処理機能を含まないデコーダ素子を用いた光ディスク再生装置において、音声信号が映像信号に先行した場合に、映像情報の再生処理中に映像信号と音声信号の同期ずれ（Ｌｉｐ　Ｓｙｎｃ）修正処理（ＡＶ同期処理）をソフトウエアで達成することを目的としている。
【００１４】
【課題を解決するための手段】
上記目的を達成するため、請求項１の発明は、光ディスクから映像情報を読み出すための映像情報読み出し手段と、前記映像情報読み出し手段により読み出された映像情報を映像信号と音声信号に分離するための分離手段と、前記分離手段により分離された映像信号に対してＭＰＥＧ２規格に準拠して復号処理を施すための映像信号復号手段と、前記分離手段により分離された音声信号に対してＭＰ３規格に準拠して復号処理を施すための音声信号復号手段とを具備し、前記映像信号と前記音声信号の同期処理機能を含まないデコーダ素子を用いた光ディスク再生装置であって、現在再生中の復号処理された映像信号及び復号処理された音声信号から、それぞれ映像と音声の現在の時刻に関する情報を取得する時刻情報取得手段と、前記時刻情報取得手段により取得された映像と音声の現在の時刻に関する情報を比較し、映像信号と音声信号とが同期しているか否か、及び映像信号と音声信号とが同期していない場合に、映像信号と音声信号のいずれが先行しているか及びそのずれ時間を判断する同期ずれ判別手段と、前記同期ずれ判別手段により、音声信号が映像信号よりも１００ｍｓ以上先行していると判断された場合に、現在再生中の復号処理された映像信号のうち、複数画像数の映像信号で１纏まりを構成するＶＯＢＵ（ｖｉｄｅｏ　ｏｂｊｅｃｔ　ｕｎｉｔ）に含まれる先頭の画像の再生時間を短くして、映像信号に対する音声信号の同期ずれを修正し、音声信号に対して映像信号が先行した場合又は映像信号に対する音声信号の進みが３０ｍｓ以下になった場合に、映像信号に対する音声信号の同期ずれの修正を停止する同期ずれ修正手段とをさらに具備するものである。
【００１５】
このような構成によれば、映像信号に対する音声信号の進みが、明らかに映像と音声が一致していない「口パク」状態と認識されうる１００ｍｓ以上に達した場合に、所定画像（コマ）数の画像信号で構成されるＶＯＢＵを単位として、ＶＯＢＵの先頭の映像信号パックの再生時間（表示時間）を同じＶＯＢＵ中の他の映像信号パックの再生時間よりも短くして、音声信号と映像信号の時間差を徐々に少なくし、最終的に時間差をなくすることができる。その結果、光ディスクに記録されている映像情報を再生しながら、映像信号と音声信号の同期ずれ（Ｌｉｐ　Ｓｙｎｃ）を修正することができる。また、映像信号に対する音声信号の進みが、同期ずれがほとんど認識されなくなる３０ｍｓ以下になった場合に、映像信号に対する音声信号の同期ずれの修正を停止するので、過剰な同期ずれ修正処理により、映像信号が音声信号よりも先行するという不都合の発生を防止することができる。さらに、映像信号と音声信号のずれは、所定コマ数ごとに１コマずつ再生時間を短くして徐々にその差が詰められるので、再生された映像を見ているユーザに違和感を与えることはほとんどない。
【００１６】
さらに、時刻情報取得手段、同期ずれ判別手段及び同期ずれ修正手段は、所定の制御プログラムを記憶したＲＯＭ、制御プログラムに従って所定の演算処理や判別処理を行うＣＰＵ、演算データなどを一時的に記憶するＲＡＭなどで構成することができ、映像信号と音声信号の同期処理機能を含まないデコーダ素子を用いた場合であっても、映像信号と音声信号の同期処理を行うことができる。
【００１７】
請求項２の発明は、光ディスクから映像情報を読み出すための映像情報読み出し手段と、前記映像情報読み出し手段により読み出された映像情報を映像信号と音声信号に分離するための分離手段と、前記分離手段により分離された映像信号に対して所定の復号処理を施すための映像信号復号手段と、前記分離手段により分離された音声信号に対して所定の復号処理を施すための音声信号復号手段とを具備し、前記映像信号と前記音声信号の同期処理機能を含まないデコーダ素子を用いた光ディスク再生装置であって、現在再生中の復号処理された映像信号及び復号処理された音声信号から、それぞれ映像と音声の現在の時刻に関する情報を取得し、取得し映像と音声の現在の時刻に関する情報を比較して、音声信号が映像信号よりも所定時間以上先行していると判断された場合に、現在再生中の復号処理された映像信号に含まれる所定の画像の再生時間を短くして、音声信号の映像信号に対する同期ずれを修正するものである。
【００１８】
このような構成によれば、映像信号に対して音声信号が所定時間先行している場合に、現在再生中の映像信号に含まれる所定の画像の再生時間を短くして、音声信号の映像信号に対する同期ずれを修正するので、光ディスクに記録されている映像情報を再生しながら、映像信号と音声信号の同期ずれを修正することができる。また、これらの機能は、所定の制御プログラムを記憶したＲＯＭ、制御プログラムに従って所定の演算処理や判別処理を行うＣＰＵ、演算データなどを一時的に記憶するＲＡＭなどで構成することができ、映像信号と音声信号の同期処理機能を含まないデコーダ素子を用いた場合であっても、映像信号と音声信号の同期処理を行うことができる。
【００１９】
請求項３の発明は、請求項２の光ディスク再生装置において、前記所定の映像とは、現在再生中の復号処理された映像信号のうち、複数画像分の映像信号の１纏まりを構成するＶＯＢＵ（ｖｉｄｅｏ　ｏｂｊｅｃｔ　ｕｎｉｔ）に含まれる先頭の画像であることを特徴とする。
【００２０】
このような構成によれば、所定画像（コマ）数の画像信号で構成されるＶＯＢＵを単位として、ＶＯＢＵの先頭の映像信号パックの再生時間（表示時間）を同じＶＯＢＵ中の他の映像信号パックの再生時間よりも短くして、音声信号と映像信号の時間差を徐々に少なくし、最終的に時間差をなくすることができる。その結果、映像信号と音声信号のずれは、所定コマ数ごとに１コマずつ再生時間を短くして徐々にその差が詰められるので、再生された映像を見ているユーザに違和感を与えることはほとんどない。
【００２１】
請求項４の発明は、請求項２又は請求項３の光ディスク再生装置において、前記所定時間は１００ｍｓ以上であることを特徴とする。
【００２２】
このような構成によれば、映像信号に対する音声信号の進みが、明らかに映像と音声が一致していない「口パク」状態と認識されうる１００ｍｓ以上に達した場合にのみ音声信号と映像信号の同期ずれが行われるので、不必要な同期ずれ修正処理や過剰な同期ずれ修正処理による音声信号に対する映像信号の進みを防止することができる。
【００２３】
【発明の実施の形態】
以下、本発明の一実施形態について、図面を参照しつつ説明する。本発明は、ＡＶ同期処理機能を含まないデコーダ素子を用いた光ディスク再生装置において、映像信号と音声信号とが同期せず、音声信号が映像信号よりも先行している場合に、映像信号を早送りして、製造の再生中に映像信号と音声信号の同期の修正処理（ＡＶ同期処理）を可能とするものである。
【００２４】
ＤＶＤなどの光ディスクに映像情報を記録する場合、図２に示すように、例えば映画の１作品などを単位とするＶＯＢＳ（ｖｉｄｅｏ　ｏｂｊｅｃｔ　ｓｅｔ）単位で記録されている。ＶＯＢＳは、複数のＶＯＢ（ｖｉｄｅｏ　ｏｂｊｅｃｔ）で構成されている。さらに、各ＶＯＢは、それぞれ複数のセル（Ｃｅｌｌ）で構成されている。セルは、例えば映画の１シーンの単位であり、１シーンの組み合わせがＶＯＢとなる。
【００２５】
ＤＶＤでは、１つの映画を複数のストーリ展開で見るマルチストーリ機能を備えており、ＶＯＢごとに異なったセルの組み合わせを変えることにより、マルチストーリ機能を利用することができる。マルチストーリ機能とは、あらかじめＤＶＤの中に複数のストーリを記録しておき、再生中に表示されるメニュー画面の中からユーザがストーリ展開を選択しうる機能である。
【００２６】
セルは、さらに複数のＶＯＢＵ（ｖｉｄｅｏ　ｏｂｊｅｃｔ　ｕｎｉｔ）により構成されている。ＶＯＢＵは、動画像で０．５秒〜１．０秒程度の単位であり、制御情報データであるナビゲーションパック（ＮＰ）、音声信号パック（ＡＰ）、ＭＰＥＧ２規格に準拠して圧縮された複数画像（コマ）分の（１５〜２０フレーム）の映像信号パック（ＶＰ）及び副映像信号パック（ＳＰ）などで構成されている。
【００２７】
本発明は、ＤＶＤなどの光ディスク特有の映像情報の記録方式に着目し、音声信号が映像信号よりも先行している場合に、ＶＯＢＵを単位として映像信号と音声信号の時間差（同期ずれ）を修正するものであり、ＶＯＢＵの先頭の映像信号パックの再生時間（表示時間）を同じＶＯＢＵ中の他の映像信号パックの再生時間よりも短くして、音声信号と映像信号の時間差を徐々に少なくし、最終的に時間差をなくするものである。
【００２８】
本実施形態による光ディスク再生装置の電気的なブロック構成を示す図１に示す。光ディスク再生装置１は、ＤＶＤなどの光ディスク７０が所定位置に挿入されているか否かを検知するためのディスク挿入検知部２と、光ディスク７０を所定速度で回転させるためのスピンドルモータ３と、光ディスク７０に記録されているデータを読み取るための光ピックアップ４と、光ピックアップ４を光ディスク７０の半径方向に移動させるための移動モータ５と、光ピックアップ４の半導体レーザ４１を制御するためのレーザ駆動部６と、光ピックアップ４の光検知器４６からの信号を処理するための信号処理部７と、光ピックアップ４の対物レンズ４４の位置を制御するためのサーボ制御部８と、信号処理部７から出力されるデータに所定のデコード処理を施し、映像信号及び音声信号を生成するデコーダ９と、光ディスク再生装置１全体の制御を行う全体制御部１０と、ユーザにより操作され、各種の指示を入力するためのリモコン装置１１と、リモコン装置１１からの信号を受信するリモコン受信部１２と、光ディスク再生装置１の各機能に応じて必要な情報を表示する表示部１３などで構成されている。デコーダ９により生成された映像信号及び音声信号は、モニタ装置５０に出力され、その画面上に映像が再生される。
【００２９】
光ピックアップ４は、半導体レーザ４１、コリメータレンズ４２、ビームスプリッタ４３、対物レンズ４４、集光レンズ４５、光検知器４６などで構成されている。半導体レーザ４１は、全体制御部１０から出力される信号に基づいて、レーザ駆動部６によりその発光が制御される。半導体レーザ４１から出力されたレーザ光は、コリメータレンズ４２、ビームスプリッタ４３及び対物レンズ４４を介して光ディスク７０上に集光される。また、光ディスク７０からの反射光は、対物レンズ４４を介してビームスプリッタ４３に入射し、光軸を９０度曲げられた後、集光レンズ４５により光検知器４６上に集光される。
【００３０】
対物レンズ４４は、レンズホルダ４７に保持されている。レンズホルダ４７の近傍には、磁気作用によりレンズホルダ４７を対物レンズ４４の光軸方向に移動させるためのフォーカシングコイル４８と、磁気作用によりレンズホルダ４７を光ディスク７０の半径方向に移動させるためのトラッキングコイル４９が設けられている。フォーカシングコイル４８及びトラッキングコイル４９は、それぞれサーボ制御部８により制御され、レンズホルダ４７及びその上に保持された対物レンズ４４の位置を微調整する。サーボ制御部８は、信号処理部７から出力される信号をモニタしながら、後述するフォーカシングエラー信号及びトラッキングエラー信号に基づいて対物レンズ４４の位置、すなわちレーザビームの集光位置を調整する。
【００３１】
光検知器４６は、例えば受講面が複数の領域に分割された分割フォトダイオードなどの光電変換素子であり、その受光面の受光領域ごとに、集光される光ディスク７０からの反射光の強度を電気信号に変換して出力する。なお、光ピックアップ４の全体は、リニアモータなどで構成された移動モータ５により、光ディスク７０の半径方向に移動される。
【００３２】
信号処理部７は、光検知器４６から出力される信号から、光ディスク７０に記録されているデータに対応したＲＦ信号（反射強度）と、フォーカシングエラー信号及びトラッキングエラー信号を生成する。ＲＦ信号はデコーダ９に出力され、フォーカシングエラー信号及びトラッキングエラー信号はサーボ制御部８に出力される。デコーダ９は、信号処理部７からのＲＦ信号に所定のデコード処理を施して、映像信号と音声信号を生成する。デコーダ９の詳細は後述する。
【００３３】
リモコン装置１１は、光ディスク７０に記録されている映像の再生や光ディスク装置１に備えられている各種機能の選択などを行う際に、ユーザにより操作されるものであり、各種機能に対応した操作キーが設けられている。操作キーを操作すると、各操作キーに対応したコード信号が赤外線信号で送信される。リモコン受信部１２は、リモコン装置１１からの赤外線信号を受信し、所定の電気信号に変換して全体制御部１０に入力する。
【００３４】
全体制御部１０は、制御プログラムを記憶したＲＯＭ、制御プログラムに従って演算処理を行うＣＰＵ、制御プログラムやデータなどを一時的に記憶するＲＡＭなどで構成されており、リモコン装置１１及びリモコン受信部１２を介して入力されるユーザの指示に従って、光ディスク再生装置１の全体を制御する。
【００３５】
次に、本実施形態におけるデコーダ９のブロック構成を図３に示す。デコーダ９は、信号処理部７からのＲＦ信号を映像信号と音声信号部分離するための映像／音声分離部９１と、分離された映像信号を一時的に格納するための映像信号バッファ９２と、分離された音声信号を一時的に格納するための音声信号バッファ９３と、映像信号バッファ９２から出力される１画像（１コマ）ごとの映像信号を順に、ＭＰＥＧ２規格に準じて復号（デコード）するための映像信号デコーダ９４と、音声信号バッファ９３から出力される音声信号を、ＭＰ３規格に準じて復号するための音声信号デコーダ９５と、復号化された映像信号及び音声信号から、現在再生中の映像及び音声に関する現在の時刻に関する情報（時刻情報）を取得（抽出）する時刻情報取得部９６と、映像信号の時刻情報と音声信号の時刻情報を比較して、映像信号と音声信号が同期しているか否か、映像信号と音声信号とが同期していない場合に、映像信号と音声信号のいずれが先行しているか及びそのずれ時間を判断するための同期ずれ判別部９７と、映像信号と音声信号との間に同期ずれが生じている場合に、一定条件の下で同期ずれを修正する同期ずれ修正部９８などで構成されている。
【００３６】
本実施形態においては、映像信号デコーダ９４及び音声信号デコーダ９５は、ＡＶ同期処理機機能を有しないＭＰＥＧデコーダ素子などで構成されており、映像信号と音声信号の同期がずれている場合に、同期ずれ修正部９８により、ソフトウエア処理によって映像信号と音声信号の同期ずれを修正する。
【００３７】
次に、本実施形態における映像信号と音声信号の同期ずれの修正について説明する。映像信号と音声信号の同期ずれは、前述のように、映像信号に対応して音声信号が記録されていないオーディオギャップによる場合のほか、光ディスク７０の傷や汚れなどによる映像情報の読み取りエラーなどによっても起こりうる。また、音声信号が映像信号に対して先行する場合のほか、映像信号が音声信号に対して先行する場合もありうる。
【００３８】
ところで、周知の残像現象のように、人間の視覚の応答速度は遅く、急激な明るさの変化や高速な画像の変化などには対応できない。視覚特性と聴覚特性を比較すると、聴覚特性の方が敏感である。従って、映像信号と音声信号が同期していない場合に、映像信号を音声信号に同期させるように変化させる方が、音声信号を映像信号に同期させるように変化させるよりも、視聴者はその変化に気付きにくいといえる。また、映像信号に対して音声信号が先行している場合の方が、音声信号に対して映像信号が先行している場合よりも、視聴者はその同期ずれに気付きやすい傾向にある。
【００３９】
本実施形態では、人間の視覚特性及び聴覚特性に基づき、映像信号に対して音声信号が先行している場合であって、かつ、その同期ずれ時間が、明らかに映像と音声が一致していない「口パク」状態と認識されうる１００ｍｓ以上に達した場合に、同期ずれの修正処理を行う。
【００４０】
時刻情報取得部９６は、現在再生中の画像信号および映像信号について、それぞれ別々に、それらの映像信号及び音声信号に含まれている時刻情報を読み出す。映像信号と音声信号とが同期している場合は、それぞれ別々に読み出した時刻情報は一致する。ところが、映像信号と音声信号とが同期していない場合は、両者は若干ずれている。そこで、同期ずれ判別部９７は、時刻情報取得部９６により取得された現在再生中の映像信号及び音声信号についての時刻情報を比較する。そして、映像信号に対して音声信号が先行した状態で、かつ、その同期ずれ時間が１００ｍｓ以上である場合、同期ずれ修正部９８に対して、同期ずれ修正処理を行う旨のＡＶ同期モードオン信号を出力する。
【００４１】
同期ずれ修正部９８は、同期ずれ判別部９７からＡＶ同期モードオン信号が出力されている場合、図２に示すＶＯＢＵを単位として、ＶＯＢＵの先頭の画像（コマ）についての映像信号パックの再生時間（表示時間）を同じＶＯＢＵ中の他の映像信号パックの再生時間よりも短くして、音声信号と映像信号の時間差を徐々に少なくする。例えば、同期ずれ修正処理を行わない通常の処理における１画像の再生時間を３０ｍｓとすると、同期ずれ処理を行う場合のＶＯＢＵの先頭の画像の再生時間を２０ｍｓとする。ここで、同期ずれ処理を行う場合のＶＯＢＵの先頭の画像の再生時間を急激に短くすると、画面が急に変化したことが視聴者にわかってしまう。そこで、１回の同期ずれ処理における同期ずれ時間の修正量（修正時間）を少なくし、複数回に分けて徐々に同期ずれ時間を短くする。
【００４２】
また、同期ずれ判別部９７は、映像信号に対する音声信号の進みが３０ｍｓ以下になったか否かを判断する。例えば、映像信号に対する音声信号の進みが３０ｍｓ以下の場合、視聴者は映像と音声の同期ずれをほとんど認識することができない。また、映像信号と音声信号の同期ずれがなく、通常の処理を行う場合であっても、１画像の再生時間はせいぜい３０ｍｓ程度である。従って、映像信号に対する音声信号の進みが３０ｍｓ以下になった状態で、さらにＶＯＢＵの先頭の画像の再生時間を短くする同期ずれ修正処理を繰り返すと、逆に音声信号に対して映像信号の方が先行してしまう虞がある。そこで、同期ずれ判別部９７は、映像信号に対する音声信号の進みが３０ｍｓ以下になった場合は、同期ずれ修正部９８に対して、映像信号に対する音声信号の同期ずれの修正を停止する旨のＡＶ同期モードオフ信号を出力する。
【００４３】
次に、本実施形態における同期ずれ修正処理について、図４に示すフローチャートを参照しつつ説明する。このフローは、ＶＯＢＵに含まれる各画像についての映像信号パックＶＰ（図２参照）を復号処理する際に実行されるものである。
【００４４】
まず、同期ずれ判別部９７は、ＡＶ同期モードがオンしているか否かを判断する（＃１）。ここで、ＡＶ同期モードオンとは、同期ずれ判別部９７から同期ずれ修正部９８に対して同期ずれ修正処理を行わせるために、同期ずれ判別部９７からＡＶ同期モードオン信号が出力されている状態を意味する。最初、同期ずれ修正処理が行われていない段階では、ＡＶ同期モードオン信号は出力されていないので、同期ずれ判別部９７は、時刻情報取得部９６から出力される映像信号の時刻情報と音声信号の時刻情報とを比較し、音声信号の方が１００ｍｓ以上先行しているか否かを判断する（ステップ＃２）。
【００４５】
映像信号に対して音声信号の方が１００ｍｓ以上先行している場合（ステップ＃２でＹＥＳ）、同期ずれ修正部９８による同期ずれ修正処理を開始すべく、同期ずれ判別部９７はＡＶ同期モードオン信号を出力する（＃３）。これにより、同期ずれ修正部９８は、映像信号と音声信号の同期ずれ修正処理を開始する。
【００４６】
ステップ＃１でＡＶ同期モードオン信号が出力されている場合及びステップ＃３でＡＶ同期モードオン信号が出力された場合、同期ずれ修正部９８は、次に復号処理する画像がＶＯＢＵの先頭の画像か否かを判断する（＃４）。本実施形態では、ＶＯＢＵの先頭の画像の再生時間を短くして映像信号と音声信号のずれを修正するので、ステップ＃４でＹＥＳの場合に、再生時間が通常の再生時間（例えば３０ｍｓ）よりも短くなる（例えば２０ｍｓ）ように再生時間短縮処理を行う（＃５）。一方、次に復号処理する画像がＶＯＢＵの先頭の画像でない場合は（ステップ＃４でＮＯ）、通常の再生時間（３０ｍｓ）で復号処理を行う（＃６）。なお、ステップ＃２で音声信号の方が１００ｍｓ以上先行していない場合も、ステップ＃６にスキップして、通常の再生時間で復号処理を行う。
【００４７】
ステップ＃５又は＃６で映像信号が復号処理されると、同期ずれ判別部９７は、映像信号に対する音声信号の先行が３０ｍｓ以下であるか否か又は音声信号に対して映像信号の方が先行しているか否かを判断する（＃７）。前述のように、本実施形態では、音声信号に対して映像信号が先行している場合は、映像信号と音声信号の同期ずれの修正は行わない。また、映像信号に対する音声信号の進みが３０ｍｓ以下になった場合にも、過剰な同期ずれ修正処理による映像信号の先行を防止するために、映像信号と音声信号の同期ずれの修正を停止する。そこで、ステップ＃７でＹＥＳの場合、同期ずれ判別部９７は、同期ずれ修正部９８に対してＡＶ同期モードオフ信号を出力し、映像信号と音声信号の同期ずれ修正処理を終了する（＃８）。また、音声信号に対して映像信号の方が先行しておらず、かつ映像信号に対する音声信号の進みが３０ｍｓよりも大きい場合（ステップ＃７でＮＯ）、引き続き映像信号と音声信号の同期ずれ修正処理を行う必要があるので、同期ずれ判別部９７はＡＶ同期モードオン信号を出力したまま、ステップ＃１に戻って次の画像についてフローを実行する。
【００４８】
なお、上記実施形態では、ＶＯＢＵの先頭の画像に対して、その再生時間が短くなるように同期ずれ修正処理を行うように構成したが、本発明はこれに限定されるものではなく、ＶＯＢＵに含まれるその他の画像、例えば特定の順番の画像や最後の画像に対して同期ずれ修正処理を行うように構成してもよい。また、同期ずれ修正処理を開始する場合の判断基準時間を１００ｍｓとしたが、これに限定されるものではなく、その他の時間を設定してもよい。同様に、同期ずれ修正処理を終了する場合の判断基準時間を３０ｍｓとしたが、これに限定されるものではなく、その他の時間を設定してもよい。
【００４９】
【発明の効果】
以上説明したように、請求項１の発明によれば、映像信号に対する音声信号の進みが、明らかに映像と音声が一致していない「口パク」状態と認識されうる１００ｍｓ以上に達した場合に、ＶＯＢＵの先頭の画像の再生時間を短くして、音声信号と映像信号の時間差を徐々に少なくすることができる。その結果、映像信号と音声信号の同期処理機能を含まないデコーダ素子を用いた場合において、光ディスクに記録されている映像情報を再生しながら、映像信号と音声信号の同期ずれを修正することができる。また、音声信号に対して映像信号が先行した場合又は映像信号に対する音声信号の進みが同期ずれがほとんど認識されなくなる３０ｍｓ以下になった場合に、映像信号に対する音声信号の同期ずれの修正を停止するので、過剰な同期ずれ修正処理により、映像信号が音声信号よりも先行するという不都合の発生を防止することができる。
【００５０】
また、請求項２の発明によれば、映像信号に対して音声信号が所定時間先行している場合に、現在再生中の映像信号に含まれる所定の画像の再生時間を短くして、音声信号の映像信号に対する同期ずれを修正するので、光ディスクに記録されている映像情報を再生しながら、映像信号と音声信号の同期ずれを修正することができる。
【００５１】
また、請求項３の発明によれば、ＶＯＢＵの先頭の画像の再生時間を短くして、音声信号と映像信号の時間差を徐々に少なくするので、映像信号と音声信号の同期ずれが、所定コマ数ごとに１コマずつ再生時間を短くして徐々にその差が詰められるので、再生された映像を見ているユーザに違和感を与えることはほとんどない。
【００５２】
また、請求項４の発明によれば、明らかに映像と音声が一致していない「口パク」状態と認識されうる１００ｍｓ以上に達した場合にのみ音声信号と映像信号の同期ずれが行われるので、不必要な同期ずれ修正処理や過剰な同期ずれ修正処理による音声信号に対する映像信号の進みを防止することができる。
【図面の簡単な説明】
【図１】本発明の一実施形態による光ディスク再生装置の電気的ブロック構成図。
【図２】光ディスクに記録されている映像情報の記録状態を示す概念図。
【図３】上記一実施形態におけるデコーダのブロック構成図。
【図４】上記一実施形態における同期ずれ修正処理を示すフローチャート。
【図５】従来例の構成を示すブロック図。
【符号の説明】
１　光ディスク再生装置
４　光ピックアップ（画像情報読み出し手段）
７　信号処理部
９　デコーダ
１０　全体制御部
７０　光ディスク
９１　映像／音声分離部（分離手段）
９２　映像信号バッファ
９３　音声信号バッファ
９４　映像信号デコーダ（映像信号復号手段）
９５　音声信号デコーダ（音声信号復号手段）
９６　時刻情報取得部（時刻情報取得手段）
９７　同期ずれ判別部（同期ずれ判別手段）
９８　同期ずれ修正部（同期ずれ修正手段）
【図１】
2004104300.tif 000003
【図２】
2004104300.tif 000004
【図３】
2004104300.tif 000005
【図４】
2004104300.tif 000006
【図５】
2004104300.tif 000007